(57)【要約】【課題】靴の脱着がワンタッチででき、広い履き口が得られ、脱着及び足の挿入がスムーズで緊締の強さの調節が簡単に行える靴を提供するものである。【解決手段】本発明は、甲被前方に切欠き部を形成し、切欠き部を甲部カバーで被覆し、尚且つ甲部カバーは下端辺のみを甲被に縫着して一体と成し、甲被カバーを前方に倒せば広い履き口を得ることができる構造となした。緊締手段も部品が面ファスナーのみであり、しかもワンタッチで出来るように脱着時は緊締用ベルトが前方に飛び出す構造となしており着用時はすぐに緊締が行なえる。又、折り返して固定する面ファスナーの位置が任意に選定出来るように固定面の面ファスナーは面積を広く取り、緊締が確実にしっかりと行え、従来の靴に比べて遥かに脱着性および装着性に優れた靴である。【選択図】      図５
2005000333.tif 000002
【特許請求の範囲】
【請求項１】
足首まで被われる深靴形式で、面ファスナー付きベルトにより履き口部の緊締をする靴において、甲被前方に形成された切欠き部を甲部カバーで被覆し、該甲部カバーは下端辺を甲被に縫着して一体と成し、舌片を前記甲部カバー裏面に縫着し、更に前記甲部カバーの上部横両端に面ファスナー付きベルトの係止具を取り付け、甲被の踝部両外側にそれぞれ面ファスナー付きベルトの片端を縫着し、他端をそれぞれ前記係止具に通し、面ファスナー付きベルトを折り返して緊締する靴とし脱着時、前記それぞれの面ファスナー付きベルトを外し、前記甲部カバーを前方に倒すと大きな開口部が形成され、面ファスナー付きベルトはそれぞれ前方斜め上方を向くことにより容易に脱着し、又、足入れも簡単で靴の脱着が容易となることを特徴とする靴。
【請求項２】
甲被カバーが前方に開く構造の深靴であって、前記甲被カバーの上部横両端に面ファスナー付きベルトの係止具を取り付け、甲被の踝部両外側にそれぞれ面ファスナー付きベルトの片端を縫着し、他端をそれぞれ前記係止具に通し、面ファスナー付きベルトを折り返して緊締する靴とし、甲被の踝部両外側に縫着した面ファスナー付きベルト端部は幅広とし、甲の高さに応じて左右の調整を行ない、折り返された面ファスナー付きベルトを最適の位置に固定することにより緊締の強さの調節ができる緊締方式を用いたことを特徴とする靴。
【請求項３】
前記係止具がファスナー付きベルトの折り返し角度に対応して方向転換可能な係止具であることを特徴とする請求項１及び２に記載する靴。
【請求項４】
前記舌片がドッグイヤーの形状を成し、その端部が履き口部より上方に向かって突出していることを特徴とする請求項１に記載の靴。
【請求項５】
踵部の高さが靴後端部に向かって下方に傾斜し、足が挿入し易いように踵後部が低くなっていることを特徴とする請求項１及び２に記載する靴。
【発明の詳細な説明】
【０００１】
【発明の属する技術分野】
本発明は、深靴形式の靴において、靴の脱着を容易に行うことができる靴に関する。
【０００２】
【従来の技術】
靴は、足を挿入又は脱着する際には十分な大きさの開口部を必要とする一方、足を挿入した後は足を確実に固定しなければならない。
従来、足首まで被われる深靴形式の靴は紐通し穴を甲被上辺部まで設け、紐により緊締していた。挿入時は紐を十分に緩め、開口部を大きくし、挿入後は紐を締めることで緊締を確実にする作業を行なって来た。しかしこれは大変面倒な作業である。
【０００３】
そこで、脱着を容易にする方法として、次の方法が提供されている。
第一の方法は、１本の帯状部材の一端が靴の先端部近傍に固定され、内側甲被部分に形成された締結部分と外側甲被部分に形成された締結部分との間に帯状部材が交互に係合し、該帯状部材の他端が面ファスナー等で固定されるものである。これによって１本の帯状部材で靴全体を締着する方法である（例えば、特許文献１参照）。
【０００４】
第二の方法として、足首パット形成部の内外甲の上辺部の靴紐通し孔を設置する部位の内甲側には靴紐通し具を縫いつけ、一方、外甲側には靴紐通しスライド具を、別途一端を外甲踵部に縫いつけ固定され、かつ布製ファスナーの緊締用ベルトに通して設けておき、当該靴の靴紐を通常の方法で通して緊締した後、緊締用ベルトに設けた布製ファスナーの相互に噛み合うフックとループの噛み合い位置を調整する事により、緊締の強さの調節ができる方法である（例えば、特許文献２参照）。
【０００５】
（特許文献１）  特開平１１−３２８１０号公報（課題を解決するための手段）
（特許文献２）  特開平９−１９１９０６号公報（特許請求の範囲）
【０００６】
【発明が解決しようとする課題】
前記の提供された第一の方法及び第二の方法共それまでの方法に比較すれば簡易になっているが、更に脱着が容易に行なえるように靴の構造及び緊締の方法を研究した。
前記方法は、基本的に紐を使用している。
第一の方法は１本の紐を使用し、締めたり緩めたりして脱着を行なう。広い履き口を得るには紐を十分に緩めるか、又は、甲被を開放する手段を講じなければならない。
【０００７】
第二の方法も紐を通常の方法で通して緊締した後、緊締用ベルトに設けた布製ファスナーの相互に噛み合うフックとループの噛み合い位置を調整する事により、緊締の強さの調節を行なうものである。
又、内甲側に靴紐通し具が、外甲側には靴紐通しスライド具が縫いつけられ紐が通されているので、広い履き口を得るには紐を十分に緩め無理して広げる必要が有る。
【０００８】
本発明は、靴の脱着がワンタッチででき、広い履き口が得られ、脱着及び足の挿入がスムーズで緊締の強さの調節が行える靴を提供するものである。
【０００９】
【課題を解決するための手段】
本発明は、足首まで被われる深靴形式で、面ファスナー付きベルトにより履き口部の緊締をする靴において、甲被前方に形成された切欠き部を甲部カバーで被覆し、該甲部カバーは下端辺を甲被に縫着して一体と成し、舌片を前記甲部カバー裏面に縫着し、更に前記甲部カバーの上部横両端に面ファスナー付きベルトの係止具を取り付け、甲被の踝部両外側にそれぞれ面ファスナー付きベルトの片端を縫着し、他端をそれぞれ前記係止具に通し、面ファスナー付きベルトを折り返して緊締する靴とし脱着時、前記それぞれの面ファスナー付きベルトを外し、前記甲部カバーを前方に倒すと大きな開口部が形成され、面ファスナー付きベルトはそれぞれ前方斜め上方を向くことにより容易に脱着し、又、足入れも簡単で靴の脱着が容易となることを特徴とする靴である。
【００１０】
請求項２の発明は、甲被カバーが前方に開く構造の深靴であって、前記甲被カバーの上部横両端に面ファスナー付きベルトの係止具を取り付け、甲被の踝部両外側にそれぞれ面ファスナー付きベルトの片端を縫着し、他端をそれぞれ前記係止具に通し、面ファスナー付きベルトを折り返して緊締する靴とし、甲被の踝部両外側に縫着した面ファスナー付きベルト端部は幅広とし、甲の高さに応じて左右の調整を行ない、折り返された面ファスナー付きベルトを最適の位置に固定することにより緊締の強さの調節ができる緊締方式を用いたことを特徴とする靴である。
【００１１】
請求項３の発明は、請求項１及び２に記載する靴に取り付ける係止具がファスナー付きベルトの折り返し角度に対応して方向転換可能な係止具であることを特徴とし、緊締の強度の調整が確実に行える靴である。
【００１２】
請求項４の発明は、請求項１に記載の靴に装着する舌片がドッグイヤーの形状を成し、その端部が履き口部より上方に向かって突出していることを特徴とする靴である。
【００１３】
請求項５の発明は、請求項１及び２に記載する靴の踵部の高さが靴後端部に向かって下方に傾斜し、足が挿入し易いように踵後部が低くなっていることを特徴とする靴である。
【００１４】
甲被前方に切欠き部を形成し、切欠き部を甲部カバーで被覆し、尚且つ甲部カバーは下端辺のみを甲被に縫着して一体と成し、甲被カバーを前方に倒せば広い履き口を得ることができる構造となした。
【００１５】
面ファスナー付きベルトは、面ファスナーの相互に噛み合うフックとループの１組をそれぞれ縫いつけたものであり、靴の踝部両外側に縫着した幅広の面ファスナー付きベルトの縫着部分の面ファスナーはループ形状であり、折り返えす部分の面ファスナーはフック形状である。靴表面に露出する幅広の縫着部分の面ファスナーをループ形状にすることにより、着用するズボンの裾やスカートの裾の擦りによる損傷を防ぐためである。
【００１６】
脱着時、面ファスナー付きベルトを外し、甲部カバーを前方に倒すと大きな開口部が形成され、面ファスナー付きベルトはそれぞれ前方斜め上方を向いたままの形状を保持するので、次に靴を履く時もスムーズに履ける。。
通常、面ファスナー付きの緊締ベルトを用いる場合、緊締ベルトを外しても緊締状態の形に戻り、外した面ファスナーにくっ付くことが多く、何度でも外さなければならないことがある。
【００１７】
甲部カバーの上部横両端に面ファスナー付きベルトの係止具を取り付け、靴の踝部両外側にそれぞれ面ファスナー付きベルトの片端を縫着し、他端をそれぞれ前記係止具に通し、面ファスナー付きベルトを折り返して緊締する緊締方式とし、前記甲部カバーを前方に倒すと大きな開口部が形成され、面ファスナー付きベルトはそれぞれ前方斜め上方を向くことにより容易に脱着し、又、足入れも簡単で靴の脱着が容易となる。
【００１８】
又、靴の踝部両外側に縫着した面ファスナー付きベルト端部を幅広とすることにより、甲の高さが高い場合は、幅広面ファスナーの下部に固定し、甲が低い場合は、幅広面ファスナーの上部に固定するなどの調整を行ない、更に引張の程度で緊締の強さの調節をし、折り返された面ファスナー付きベルトを最適の位置に固定することができる。
【００１９】
更に、甲被又は甲部カバーに取り付ける係止具がファスナー付きベルトの折り返し角度に対応して方向転換が可能な係止具とすることにより、緊締の調節がより確実となる。方向転換可能な係止具の構造は任意でよいが、方形の基板とベルト引掛け部をピン止めする構造であってもよい。
【００２０】
【発明の実施の形態】
図面を参照しながら詳細に説明する。
図１は、本実施の形態に係る前方に切欠き部が形成された甲被と靴底からなる靴本体の外観図であり、舌片、甲部カバー及び面ファスナー付きベルト等が装着される前の状態を示す。
図２は、本実施の形態に係る甲部カバーと舌片のパターン図である。
図３は、本実施の形態に係る面ファスナー付きベルトの外観図である。
図４は、本実施の形態に係る脱着が容易な靴の着用時の外観図である。
図５は、本実施の形態に係る脱着が容易な靴の脱着時の外観図である。
【００２１】
先ず、脱着を容易にするための広い履き口を成すために前方に切欠き部（１）が形成された甲被（２）と靴底（３）からなる靴本体（４）を通常の靴製造方法により製作した。もちろん、中底、中敷き、および必要に応じて半中底や踵部に衝撃吸収材などを適宜設ける。踵部は、踵の高さが靴後端部に向かって下方に傾斜し、足が挿入し易いように踵後部が低くなっている形状とした。
【００２２】
次に、甲部カバー（５）及び舌片（６）をそれぞれパターン図に基づき作成し、甲部カバー（５）表側の上部横両端には面ファスナー付きベルト（８）の係止具（１２）を取り付けた。係止具（１２）は強度を有する任意の合成プラスチックの素材が用いられる。
次に、舌片（６）を甲部カバー（５）の裏側の中央よりやや上方の箇所に縫い付け一体化した。甲部カバー（５）の素材は本皮、合皮、布帛等適宜用いる。
舌片（６）は足の挿入をスムーズに行うためにドッグイヤー（７）の形状を成すようなパターンとする。舌片（６）の素材は足首の保護を考慮し、スポンジを内蔵したメッシュの合成繊維を用いた。
【００２３】
緊締用の面ファスナー付きベルト（８）は靴踝部両外側に縫着する部分はループ形状の面ファスナー（９）とし、折り返して固定する部分はフック形状の面ファスナー（１０）とし、その先端の掴み部にプラスチック製の把持部（１１）を設けた。
この面ファスナー付きベルト（８）の幅広のループ形状の面ファスナー（９）部分を靴本体（４）の踝部両外側に縫着した。幅広の面ファスナー部分の幅は折り返して固定するフック形状の面ファスナー（１０）幅の二倍幅の６ｃｍとした。
【００２４】
次に、舌片（６）と一体化し、係止具（１２）を取り付けた甲部カバー（５）を甲被前方に形成された切欠き部（１）を覆うように戴置し、甲部カバー（５）の下端辺を舌片（６）の下端辺と共に甲被（２）に縫着した。
甲部カバー（５）が過度に前倒しになるのを防ぎ、又、舌片（６）が甲被（２）に乗り上げるのを防ぐために、舌片（６）の下部の両端を伸縮性のある帯で中底に係止した。
【００２５】
踝部両外側に縫着した面ファスナー付きベルト（８）の把持部（１１）を掴み係止具（１２）に通し、緊締できる状態とした。
【００２６】
【発明の効果】
本発明は上記のような構成からなり、甲被（２）の前方に切欠き部（１）が形成されており、脱着時の履き口が大きく開放され、ドックイヤー（７）形状の舌片（６）の端部が履き口部より上方に向かって突出していること、踵部が踵後部に向かって下方に傾斜していること等が相俟って、足の挿入・脱着が容易であり、緊締手段も部品が面ファスナーのみであり、しかもワンタッチで出来るように脱着時は緊締用ベルトが前方に飛び出しており着用時はすぐに緊締が行なえる。
又、折り返して固定する面ファスナーの位置が任意に選定出来るように固定面の面ファスナーは面積を広く取り、緊締が確実にしっかりと行え、従来の靴に比べて遥かに脱着性および装着性に優れた靴である。
【図面の簡単な説明】
【図１】本実施の形態に係る前方に切欠き部が形成された甲被と靴底からなる靴本体の外観図であり、舌片、甲部カバー及び面ファスナー付きベルトが装着される前の状態を示す。
【図２】本実施の形態に係る甲部カバーと舌片のパターン図である。
【図３】本実施の形態に係る面ファスナー付きベルトの外観図である。
【図４】本実施の形態に係る脱着が容易な靴の着用時の外観図である。
【図５】本実施の形態に係る脱着が容易な靴の脱着時の外観図である。
【符号の説明】
１  切欠き部
２  甲被
３  靴底
４  靴本体
５  甲部カバー
６  舌片
７  ドッグイヤー
８  面ファスナー付きベルト
９  ループ形状の面ファスナー
１０  フック形状の面ファスナー
１１  把持部
１２  係止具
【図１】
2005000333.tif 000003
【図２】
2005000333.tif 000004
【図３】
2005000333.tif 000005
【図４】
2005000333.tif 000006
【図５】
2005000333.tif 000007